(57)【要約】【課題】本発明は、電源基板は収納ケースの内部に収納された状態で、挿入方向と反対の方向に抜けるのが防止されるように構成した電球型照明装置を提供することにある。【解決手段】半導体発光素子を備えた発光体と、前記発光体を駆動する電源基板と、前記発光体を覆うカバー部材と、前記電源基板を収納する収納ケースと、前記発光体で発生する熱を放出する放熱体と、を有し、前記電源基板は突起係止部を備え、前記収納ケースは上側開口係止部を備え、前記電源基板は前記収納ケースの内部に収納された状態で、前記突起係止部が前記上側開口係止部に係止される。【選択図】図１
2016018684.tif 000002
【特許請求の範囲】
【請求項１】
半導体発光素子を備えた発光体と、前記発光体を駆動する電源基板と、前記発光体を覆うカバー部材と、前記電源基板を収納する収納ケースと、前記発光体で発生する熱を放出する放熱体と、を有し、
前記電源基板は突起係止部を備え、
前記収納ケースは上側開口係止部を備え、
前記電源基板は前記収納ケースの内部に収納された状態で、前記突起係止部が前記上側開口係止部に係止されることを特徴とする電球型照明装置
【請求項２】
前記収納ケースの内部には、前記電源基板が収納ケースに挿入される際、前記電源基板の挿入方向に沿って、前記電源基板を所定の位置に誘導する一対のガイド溝を備え、
前記ガイド溝の先端には前記電源基板を前記収納ケースのガイド溝に挿入する際、電源基板をガイド溝部に誘導するための面取り部を備えていることを特徴とする請求項１に記載の電球型照明装置
【請求項３】
前記収納ケースの内部の下部には、下側段差係止部を備え、
前記電源基板の下部には、前記下側段差係止部に当節される切欠係止部を備え、
前記収納ケースにおける前記収納ケースの上面から前記面取り部までの距離（Ｌ１）が、電源基板における前記突起係止部の先端から前記切欠係止部までの距離（Ｌ２）よりも短い位置になる（Ｌ１≦Ｌ２となる）ように設けたことを特徴とする請求項２に記載の電球型照明装置
【発明の詳細な説明】
【技術分野】
【０００１】
本発明は、電球型照明装置に関する。
【背景技術】
【０００２】
ＬＥＤ等の半導体発光素子を備えた発光体を有する電球型照明装置は、白熱電球と比較して長寿命化、省エネルギー化を図ることができるため、近年注目が集まっている。
【０００３】
また、低コスト化も進んでおり、市場への普及も飛躍的に進んでいる。
【０００４】
ＬＥＤを用いた電球形照明装置では、高光束、高信頼性を維持して低コスト化を実現するため、内部に搭載する回路基板の位置変動を抑制するなどの構造安定性を高めつつ、部品点数の削減等で組立を簡素化した、組立性が高い構造が望まれている。
【０００５】
例えば、特許文献１には、光源としてＬＥＤモジュールを搭載した基板と、電源基板が実装された電源基板と筐体を備え、実装基板を筐体中に挿入した方向において位置ずれを抑制するように構成されている。
【先行技術文献】
【特許文献】
【０００６】
【特許文献１】特開２０１３−２５１１４６号公報
【発明の概要】
【発明が解決しようとする課題】
【０００７】
特許文献１に記載の技術では、電源基板の筐体内での位置ずれ抑制構造として、筐体にはガイド溝と、開口部、また電源基板に切り欠き部を設けることで、電源基板の動きを抑えている。すなわち電源基板をガイド溝部で支えることで電源基板の動きを直線状に規制し、さらに電源基板の切り欠きと対応する収納ケースに設けた開口部とが勘合することで電源基板が挿入方向に抜けることを防止した。しかしながら、電源基板が挿入方向に入っていく奥行き方向での押し込みを抑止されてはいなかった。電源基板にはリード線が半田接続されており、電源基板が固定されていないと、リード線の半田接続部に、不特定方向に応力が掛かり続けてしまうため、従来構造では組み立ての工程中で、樹脂を収納ケースと電源基板の隙間に流し込み固化させる樹脂ポッティングまたは、接着剤を用いて電源基板を収納ケースに固定する必要がある。
【０００８】
本発明は、このような事情に鑑みてなされたものであり、電源基板は収納ケースの内部に収納された状態で、挿入方向と反対の方向に抜けるのが防止され、かつ材料及び工程コストを低減することが出来るように構成した電球型照明装置を提供することを目的とする。
【課題を解決するための手段】
【０００９】
前記目的を解決するために、本発明では、半導体発光素子を備えた発光体と、前記発光体を駆動する電源基板と、前記発光体を覆うカバー部材と、前記電源基板を収納する収納ケースと、前記発光体で発生する熱を放出する放熱体と、を有し、前記電源基板は突起係止部を備え、前記収納ケースは上側開口係止部を備え、前記電源基板は前記収納ケースの内部に収納された状態で、前記突起係止部が前記上側開口係止部に係止されることを特徴とする。
【発明の効果】
【００１０】
発明によれば、電源基板は収納ケースの内部に収納された状態で、挿入方向と反対の方向に抜けるのが防止され、かつ材料及び工程コストを低減することが出来るように構成した電球型照明装置を提供することができる。
【図面の簡単な説明】
【００１１】
【図１】第１実施形態に係る電球型照明装置の外観正面図である
【図２】図１に示される電球型照明装置の分解斜視図である。
【図３】カバー部材と発光体を取り外した状態の電球型照明装置の平面図である。
【図４】図３のA−A線に沿う電球型照明装置の縦断面図である。
【図５】電源基板を収納ケースに挿入する位置関係を示す説明図である。
【図６】電源基板の正面図である
【図７】収納ケースの上面図である
【図８】図７のB−B線に沿う収納ケースの縦断面図である。
【図９】収納ケースのガイド溝部と電源基板との関係図である。
【図１０】カバー部材を取り外した状態の電球型照明装置の斜視図である。
【図１１】図１０のC−C線に沿う電球型照明装置の縦断面図である。
【図１２】出力リード線と給電袖部と電線ガイド爪部の位置関係を示す説明図である。
【図１３】収納ケースを給電袖部側からみた側面図である。
【図１４】給電袖部と電線ガイド爪部の構造を説明する部分拡大図である。
【図１５】電源基板の斜視図である。
【図１６】収納ケースの給電袖部と出力リード線の位置関係を示す説明図である。
【図１７】収納ケースと放熱体の係止構造を示す図１０のC−C線に沿う縦断面図である。
【図１８】収納ケースと放熱体の位置関係を示す放熱体内部の上面図である。
【図１９】収納ケースと放熱体の位置関係を示す説明図である。
【図２０】収納ケースと放熱体との寸法関係を説明するための図１９のＤ−Ｄ線に沿う縦断面図である。
【図２１】放熱体の上面図である。
【図２２】収納ケースと放熱体の係止構造を示す図１８のD−D線に沿う縦断面図である。
【図２３】放熱体の収納ケース係止部を示す図２１のF−F線に沿う縦断面図である。
【図２４】放熱体の面取り部を示す図２１のG−G線に沿う縦断面図である。
【発明を実施するための形態】
【００１２】
以下、本発明の実施形態について適宜図面を参照しながら詳細に説明する。
（第１実施形態）
図１は、本発明の第１実施形態に係る電球型照明装置の外観正面図である。図２は、図１に示される電球型照明装置の分解斜視図である。図３は、カバー部材１０と発光体２０とを取り外した状態の図１に示される電球型照明装置の上面図である。図４は、図３のＡ-Ａ線に沿う電球型照明装置の縦断面図である。
【００１３】
図１、図２に示すように、第１実施形態に係る電球型照明装置１００は、カバー部材１０と、発光体２０と、電源基板３０と、収納ケース４０と、放熱体５０と、絶縁リング６０と、口金７０と、を有している。
【００１４】
発光体２０は、例えば概円形形状の基板２１を有しており、当該基板２１の一方の面である実装面に、半導体発光素子として、複数のＬＥＤ２２（モジュール）が配列されて実装されている。
【００１５】
口金７０は、室内の天井等の外部に設置された一般照明電球用のソケット（図示せず）にねじ込むことにより商用電源に電気的に接続するためのものである。
【００１６】
放熱体５０と口金７０との間には、電気絶縁性を有する絶縁リング６０とを有している。
【００１７】
カバー部材は、発光体２０を覆うように放熱体５０に取り付けられる。
【００１８】
カバー部材１０は、透光性を有する例えば乳白色の、ガラス製又はＰＣ（ポリカーボネイト）等の樹脂製であり、発光体２０を覆うように、ここでは略球面状に形成されている。カバー部材１０に設けた開口部１１に、収納ケースのカバー部材取付爪４１が嵌め合うことで固定されている。
【００１９】
カバー部材１０には、発光体２０からの光を拡散させる光拡散部材が含有されていてもよい。カバー部材１０に光拡散部材を含有させることで、発光体２０のＬＥＤ２２からの光がカバー部材１０を透過する際に拡散されるため、配光特性が広くなる。
【００２０】
放熱体５０は、発光体２０で発生する熱を放出する。放熱体５０は、筒状であり、胴部５２と胴部５２に連なる本体部５３と、本体部５３の外周に突出する放熱フィン５１と、を有している。
【００２１】
放熱体５０は、発光体２０が取り付けられる発光体取付部５４（図３参照）を備えており、熱伝導率の高い材料から形成されている。放熱体５０の材料としては、例えばアルミニウム（合金を含む）等の金属材料が挙げられる。アルミニウムは、軽量で熱伝導率が高く、しかも耐食性、加工性に優れ、強固でコストも低く外観も美麗であるため好ましい。
【００２２】
これらにより、発光体２０で発生する熱は、発光体取付部５４を介して放熱体５０に効率的に伝導され、放熱体５０の複数の放熱フィン５１や本体部５３から外部の空気に放出されることになる。また、本体部５３や放熱フィン５１の外表面に、アルマイト等の放熱性を高めるための表面処理や、放熱塗料が塗布されていてもよい。更に胴部５２に塗布されていてもよい。
【００２３】
放熱体５０の筒状の内部には、出力リード線３１（図３参照）を介して発光体２０のＬＥＤ２２に所定の電力を供給するための電源基板３０と、電源基板３０を収納する樹脂製の収納ケース４０とが配設される。なお、電源基板３０と口金７０とは、商用電源を電源基板３０に供給するための電源リード線３２（図２参照）で接続される。
【００２４】
電源基板３０は、複数の電子部品（図示せず）が実装されたものである。電源基板３０は、例えば、商用電源からの交流電力を直流電力に整流する回路、整流後の直流電力の電圧を調整する回路等を備えている。発光体２０は発光体取付部５４上に載置されている。
【００２５】
収納ケース４０は、図５に示すように、筒状の収納ケース４０の内部には、ガイド溝４２が形成され、収納ケース４０が放熱体５０の中で回転する方向を固定するため、給電袖部４３が１個と、固定袖部４４が３個配置されている。また、給電袖部４３は電源基板３０から発光体２０に出力リード線３１を導く、１対の電線ガイド爪部４８を配置している。固定袖部の外辺部にはカバー部材取付爪４１が設けられている。収納ケース４０の下端部には口金７０のネジの内側とかみ合うケースネジ部４９が設けられている。また、放熱体５０の内側段差部に当接して収納ケース４０と放熱体５０を係止するための係止リブ４７を４点設けた。
[組立方法]
次に、電球型照明装置１００の組立方法について説明する。図２に示すように、収納ケース４０を放熱体５０の発光体取付部５４側から、放熱体５０の内部にはめ込む。
【００２６】
続いて、電源基板３０を、長手方向を上下方向となるようにして（縦にして）収納ケース４０内のガイド溝４２に端部を沿わせて挿入する。ここで電源基板３０に予め接続されている出力リード線３１（図３参照）の先端は、このとき収納ケース４０内の給電袖部４３から外に引き出された状態とされる。
【００２７】
一方、電源基板３０に予め接続されている入力用の電源リード線３２を口金７０の所定箇所に接続する。そして、放熱体５０と口金７０との間に絶縁リング６０を介在させるようにして、口金７０を収納ケース４０のケースネジ部４９にねじ込み取り付ける。
【００２８】
続いて、発光体取付部５４に発光体２０を載置する。
【００２９】
そして、ねじ部材６４を発光体２０の基板の切り欠き部２２と放熱体５０の発光体取付部５４に形成されたねじ孔５５にねじ込むことにより、発光体２０が放熱体５０に組み付けられる。
【００３０】
続いて、収納ケース４０内から外に引き出されている出力リード線３１を１対のカバー部材取付爪４１の隙間に嵌めこみ、先端を発光体２０のＬＥＤ２２に半田付けやコネクタ等によって接続する。
【００３１】
最後に、発光体２０を覆うようにして、カバー部材１０を収納ケース４０のカバー部材取付爪４１に取り付けることにより、電球型照明装置１００の組立が完了する。
【００３２】
但し、電球型照明装置１００の組立方法は、前記した方法に限定されるものではなく変更が可能である。
【００３３】
次に、収納ケース４０内部の電源基板３０を固定する構造について図３から図６を用いて説明する。
【００３４】
前記の通り、電源基板３０は、収納ケース４０の内部に設けたガイド溝４２に沿って挿入され、図３の上下方向（図４の手前-奥方向、図５の上下方向）の位置を固定している。
【００３５】
図４に示す通り、収納ケース４０内部において、収納ケース４０の下部には、段差状の下側段差係止部４５を２か所に備え、収納ケース４０の上部には、段差状の２個の上側開口係止部４６を備える。
【００３６】
図６に示す通り、電源基板３０は、電源基板３０の下部両側に切り欠き状の切欠係止部３３を備え、電源基板３０の上部両側には斜め部３５に続いた突起状の突起係止部３４を備える。
【００３７】
組立の工程の中の電源基板３０を収納ケース４０内に挿入する工程を詳述すると次の通りである。
【００３８】
収納ケース４０内のガイド溝４２に沿って電源基板３０を挿入する。電源基板３０の下部では、収納ケース４０の下側段差係止部４５と、電源基板３０の切欠係止部３３とが当接し、電源基板３０の収納ケース４０への挿入の動作が止められる。つまり、電源基板３０の収納ケース４０への挿入方向（下方向）への移動を阻止することができる。電源基板３０の上部では、収納ケース４０の上側開口係止部４６に電源基板３０の斜め部３５と収納ケース４０が接触して収納ケース４０内部の径方向を外に押し広げながら挿入され、電源基板３０の突起係止部３４が収納ケース４０の上側開口係止部４６の開口内に入り込むと、突起係止部３４は上側開口係止部４６の外に突出し、上側開口係止部４６の開口上端部に当接することで、電源基板３０の引き出し方向（上方向）への移動を阻止することが出来る。上記の通り、電源基板３０の突起係止部３４が収納ケース４０の上側開口係止部４６の開口内に入り込むことで、電源基板３０は収納ケース４０に固定される。
【００３９】
以上のような固定の構造（電源基板３０の突起係止部３４と収納ケース４０の上側開口係止部４６）が左右に設けられているため、斜め方向の移動もなく、また強い振動に対しても電源基板３０の移動を抑えることが出来ることは言うまでもない。
【００４０】
以上述べたとおり、本実施例の構造により、電源基板３０は挿入方向および引き出し方向のいずれの移動も阻止することが出来る。本実施例の構造によりにより、電源基板の収納ケースへの固定のために従来用いられてきた樹脂ポッティングを不要とすることができ、構成部材を増やすことなく、更に材料及び、樹脂の効果に必要な工程時間、樹脂塗布および硬化に必要な塗布装置、加熱炉などの製造設備の投資コストを低減することが出来る効果を奏する。また、電源基板３０を収納ケース４０へ挿入する工程では、突起係止部３４が収納ケース４０の外に突出する際に音を発すること、更に電源基板３０を収納ケース４０へ挿入するための力が急に軽減するようなクリック感があること、などにより、正常に挿入が完了したことが判明出き、挿入不足などの挿入工程の不良を低減することが出来るという効果も奏する。
【００４１】
次に、出力リード線３１を電源基板３０から発光体２０に誘導する構造について図１０から図１３を用いて説明する。放熱体５０の上部には発光体２０が配置されており、発光体２０は、例えば概円形形状の基板２１を有しており、当該基板２１の一方の面である実装面に、半導体発光素子として、複数のＬＥＤ２２（モジュール）と、コネクタ１０１が実装されており、コネクタ１０１には出力リード線３１が接続され、電源基板３０から給電される。出力リード線３１は、図１１に示す通り、一方を電源基板３０に接続され、収納ケース４０の外周に設けた給電袖部４３の内部に設けた１対の電線ガイド爪部４８で経路を係止され、上方に折り曲がり、基板２１の上面に誘導され、リード線コネクタ１０２と基板２１上に設けたコネクタ１０１が嵌合することでリード線３１の他方の端部が基板２１上に接続および固定されている。
【００４２】
電線ガイド爪部４８の構造について説明する。電線ガイド爪部４８の位置は、図３および図１３の収納ケース４０を給電袖部４３側からみた側面図で明らかな通り、収納ケース４０の外側、給電袖部４３の上端部で、収納ケース４０の直径方向では給電袖部４３の外端部から、出力リード線３１の直径もしくは、最少折り曲げ半径分よりも内側に設けられている。こうすることで、出力リード線３１の誘導経路が最短で、かつ収納ケース外にある放熱体５０から樹脂で絶縁された給電袖部４３の空間内部に出力リード線３１を係止でき、絶縁を保つことが出来る。また、カバー部材１０を組み込む工程では、図２に示す、カバー部材１０の下面に設けた開口部１１に、収納ケース４０のカバー部材取付爪４１が嵌め合う際に出力リード線３１の干渉を防止し工程不良を低減できる効果が有る。
【００４３】
次に種々検討の結果得られた、出力リード線３１の挿入が容易で、外れにくい最適な電線ガイド爪部４８の構造を図１４に示す。１対の爪部４８(４８ａまたは４８b)が隙間１４２を有して向かい合って配置されている。爪部４８の上面１４１は出力リード線３１を図の上から下に挿入する際に挿入する方向に斜めになっており、出力リード線３１を間隙部に誘導し挿入を容易にしている。また、爪部４８の下の空間はリード線保持部１４４であり、高さおよび幅は出力リード線３１の外径よりも大きく、出力リード線３１に応力が無いように、空間内で動けるだけの寸法の裕度がある。爪部４８の下面は挿入方向と略直角に形成され、２本の出力リード線３１が抜けないように保持している。隙間１４２は概ねリード線１本と同じ幅にすることで、容易に挿入できるが、爪部４８の下面形状との相乗効果で出力リード線３１が外れにくいように保持することが出来る。なお、電源基板３０に接続された出力リード線３１端部の位置を図１５に示す。２本の出力リード線３１の端部は、電源基板３０の部品搭載面の上端部１５２付近の部品搭載がない領域１５３の中で、かつ電源基板３０の中央線１５１に対し対照の位置に設けた。また、図１６に示すように、電源基板３０が収納ケース４０に収納された状態で、電源基板３０の出力リード線３１の配線経路が他の周辺部品に阻害されることなく、最短距離になるように電源基板３０の出力リード線と向かい合う面に出力リード線３１の係止部である電線ガイドのための爪部４８がある構成にされている。
【００４４】
以上の構成により、出力リード線３１の配線経路が確定され、発光体２０のコネクタ１０１と接続した際に、２本の配線をそろって基板２１上面に誘導できるので、リード線コネクタ１０２と基板２１上のコネクタ１０１の向きをそろえてコネクタの相対位置及びコネクタ間の角度差が低減するのでコネクタ接合不良を低減できる利点がある。また、出力リード線３１が基板２１上面にはみでる高さおよび、ばらつきを抑制することが出来るので、ＬＥＤ２２からの出射光がカバー部材１０に照射する間にリード線が入り込み、影となってカバー部材１０の表面に暗部を作ることが無くなり、カバー部材１０の表面の明るさが均一になり、また、影による光束低下が無いため、光束ばらつきが低減できる効果がある。また、収納ケース４０のみで、配線経路付近における周辺部品のエッジ部に、出力リード３１の被覆が干渉することを防ぐことができるので、干渉を防ぐための別部品を削減が出来ることで、材料コストを低減できるという効果を奏する。また、配線長を最短にすることが出来るのでコストが低減できる。
【００４５】
次に、収納ケース４０を放熱体５０に固定する構造について図１７及び図１８を用いて説明する。図１８は放熱体５０の内部の上面図である。図３の給電袖部４３を通る縦断面図が図１７である。本発明では、収納ケース４０の下部の係止リブ４７と放熱体５０の係止段差１７２とが当接することで収納ケース４０の挿入方向の進行を係止した。また、収納ケース上部では給電袖部４３、固定袖部４４と放熱体５０の間には少なくとも挿入方向には隙間１７１がある状態で係止した。詳細の構造について以下に説明する。
【００４６】
図１９の斜視図及び図１９のＥ−Ｅ線に沿う縦断面図である図２０を用いて、１つの給電袖部４３、３つの固定袖部４４と放熱体５０の間には少なくとも挿入方向には隙間がある状態で係止するための構造を説明する。収納ケース４０の給電袖部４３または固定袖部４４の下面１９１から、４つの係止リブ４７までの距離をＬ３とする。次に、放熱体５０上部の、給電袖部４３、固定袖部４４がはまる袖部受け部１９２の底面と、係止リブ４７が当接する収納ケース係止段差１９３の間隔Ｌ４とする。Ｌ３≧Ｌ４とすることで、組み立てた際に固定袖部４４と放熱体５０の間に挿入方向には隙間がある状態とした。この時の放熱体５０の係止部の形状は図２１に示す通りで、周方向には４か所に袖部受け部１９２および収納ケース係止段差１９３を設けた。収納ケース４０の係止リブに相対する位置である。図２１のＦ-Ｆ線に沿う縦断面構造を図２３に示す。
【００４７】
なお、収納ケース段差部１９３を境に、段差部よりも下部分の内径が段差部よりも上よりも小さくなっているため、収納ケース段差部１９３の周状で、段差が無い部分には電源基板３０の挿入方向から４５°以下の面取り部１９４を設けた。面取り部１９４の縦断面構造を図２２、また図２１のＧ−Ｇ線に沿う縦断面構造を図２４に示す。こうすることで収納ケース４０を放熱体５０に挿入する際に、面取り部１９４で誘導されるので、収納ケース４０が放熱体５０に衝突して止まることなく、円滑に挿入できる。そのため挿入工程での挿入の試行回数が減り、歩留まりが高まる。こうすることで、給電袖部４３、固定袖部４４は挿入方向には応力が印加されないので、変形が無い。そのため、給電袖部４３の電線ガイド爪部４８の変形を防止して出力リード線３１の係止機能に影響が無い。また、カバー部材取付爪４１の変形も無いので、カバー部材１０のはめ込み開口部１１との嵌め合い精度を高く保つことが出来、カバー部材１０の取り付け工程での不良発生を防止するとともに、カバーの脱落強度のばらつきが無い高品質を得ることが出来る。これにより、工程コストを低減することができる。
【００４８】
このように収納ケース４０を放熱体５０に固定する構造として、放熱体５０の内周下部に段差部（１９３）と面取り部１９４を同一周状に交互に備え、しかも図２１に示すように、円周長において、段差部の周長合計よりもよりも面取り部の周長合計を１／３程度と、少なくすることにより収納ケースを挿入方向に円滑に挿入でき、かつ収納ケースの上部に配置した、ケーブル係止、カバー固定のための精密機構部の応力を低減して、歩留まりよく電球形照明装置を製造することが出来る。
【００４９】
なお、電球型照明装置を機械により自動組み立てする際には、収納ケース４０が放熱体５０に収納されるときに、給電袖部４３などが放熱体５０に干渉してしまうと、給電袖部４３などに応力がかかるため変形し、他部品との係止や嵌合に悪影響を及ぼし、不具合が発生する恐れがある。ただし、上述の構成により、給電袖部４３や固定袖部４４には応力がかからず、不具合の恐れを低減することができる。
（第１実施形態変形例）
次に第１実施形態の変形例を図７から図９を用いて説明する。前述の第１実施形態と同じ部分には同じ符号を付けている。本実施例において、収納ケース４０には、電源基板３０が内部に収納される際、電源基板３０の挿入方向に沿って、電源基板３０を所定の位置に誘導する一対のガイド溝４２を設け、かつ、ガイド溝４２の上側先端にはガイド先端面取り部８１が形成されている。ガイド先端面取り部８１は、電源基板３０が収納ケース４０のガイド溝４２に挿入される際、電源基板３０をガイド溝４２に誘導するように形成されている。ガイド先端面取り部８１により、電源基板３０を挿入する際に電源基板３０の端部とガイド溝４２の先端部との衝突の恐れを防止することが出来、工程不良や、挿入時のガイド部、電源基板３０の破損を防止することが出来る。更に、収納ケース４０の内部で内部断面形状が変化する部分、たとえば、内径が変化する部分や、断面にガイド溝４２などの内壁から凸凹を有する構造部を配置するときに内壁の壁面に電源基板３０の挿入方向に対し垂直な面が無いよう、収納ケース４０の内壁の壁面には面取り部８２が設けられている。面取り部８２の傾きを種々検討した結果、電源基板３０の挿入方向に対して４５°よりも大きくすると、挿入時の進行が著しく困難となることが判明している。従って、面取り部８２の傾きは、挿入方向に対して４５°以下とすることが望ましい。こうすることで電源基板３０を収納ケース４０に挿入する際に収納ケース４０の内壁に電源基板３０に搭載した部品が衝突しても電源基板３０の挿入の進行を妨げることがなく、組み立てが可能であり、挿入時の部品損傷、脱落、収納ケースの破損を防止することが出来、作業不良および工程歩留まりを低減することが出来る。
【００５０】
また、作業者が電源基板３０を収納ケース４０に挿入する工程では、ガイド溝４２に電源基板３０を挿入する初期挿入段階では安定して電源基板３０を保持して切欠係止部３３と、ガイド先端面取り部８１との位置を合わせる必要がある。電源基板３０をつかむ保持部分９３に部品が実装された場合、または、後述するＬ１＞Ｌ２とする場合、安定した電源基板３０の保持が困難となり、位置合わせが困難でうまくガイド溝４２に誘導できず、挿入不具合の不良が発生するという恐れがある。
【００５１】
そのため、収納ケースの上面から、ガイド先端面取り部８１までの距離（Ｌ１）を、電源基板３０における、電源基板３０の爪部（突起係止部３４）の先端から切欠部（切欠係止部３３）までの距離（Ｌ２）よりも短い位置になるよう（Ｌ１≦Ｌ２）に設定し、突起係止部３４の上部に部品を搭載しない、保持部分９３を設けている。こうすることで、挿入するまで保持部分９３が収納ケース４０の外部にあるため、初期挿入段階で安定した電源基板３０の保持が可能であり、作業性よく電源基板３０を挿入することが出来る。
【００５２】
以上、本発明について、実施形態に基づいて説明したが、本発明は、前記実施形態に記載した構成に限定されるものではなく、各実施形態に記載した構成を適宜組み合わせ乃至選択することを含め、その趣旨を逸脱しない範囲において適宜その構成を変更することができるものである。
【００５３】
例えば、前記実施形態では、発光体２０からの光は、白色に限定されるものではなく、発光色の異なるＬＥＤや蛍光体を用いて所望の色に設定可能である。さらに、ＬＥＤの実装方式は、前記実施形態に限定されるものではなく、発光体２０は１個以上のＬＥＤを備えるものであればよい。
【００５４】
また、前記実施形態では、発光体２０にＬＥＤ２２が備えられているが、例えばＥＬ（Electro-Luminescence）等の他の半導体発光素子が備えられていてもよい。
【００５５】
その他、前記実施形態では、発光体取付部５４がカバー部材１０と本体部５３の内部に収納されているが、特許文献１のように外部に露出されていてもよい。
【符号の説明】
【００５６】
１０  カバー部材
１１  開口部
２０  発光体
２１  基板
２２  ＬＥＤ
３０  電源基板
３１  出力リード線
３２  電源リード線
３３  切欠係止部
３４  突起係止部
３５  斜め部
４０  収納ケース
４１  カバー部材取付爪
４２  ガイド溝
４３  給電袖部
４４  固定袖部
４５  下側段差係止部
４６  上側開口係止部
４７  係止リブ
４８  電線ガイド爪部
４８ａ １対の爪部
４８ｂ １対の爪部
４９  ケースネジ部
５０  放熱体
５１  放熱フィン
５２  胴部
５３  本体部
５４  発光体取付部
５５  ねじ孔
６０  絶縁リング
７０  口金
８１  ガイド先端面取り部
８２  面取り部
９３  保持部分
１００  電球型照明装置
１０１  コネクタ
１０２  リード線コネクタ
１４１  爪の上面
１４２  隙間
１４４  リード線保持部
１５１  電源基板３０の中央線
１５２  電源基板３０の部品搭載面の上端部
１５３  部品搭載が無い領域
１７１  隙間
１７２  係止段差
１９１  固定袖部の下面
１９２  袖部受け部
１９３  収納ケース係止段差
１９４  面取り部
Ｓ  螺子
【図１】
2016018684.tif 000003
【図２】
2016018684.tif 000004
【図３】
2016018684.tif 000005
【図４】
2016018684.tif 000006
【図５】
2016018684.tif 000007
【図６】
2016018684.tif 000008
【図７】
2016018684.tif 000009
【図８】
2016018684.tif 000010
【図９】
2016018684.tif 000011
【図１０】
2016018684.tif 000012
【図１１】
2016018684.tif 000013
【図１２】
2016018684.tif 000014
【図１３】
2016018684.tif 000015
【図１４】
2016018684.tif 000016
【図１５】
2016018684.tif 000017
【図１６】
2016018684.tif 000018
【図１７】
2016018684.tif 000019
【図１８】
2016018684.tif 000020
【図１９】
2016018684.tif 000021
【図２０】
2016018684.tif 000022
【図２１】
2016018684.tif 000023
【図２２】
2016018684.tif 000024
【図２３】
2016018684.tif 000025
【図２４】
2016018684.tif 000026